【事件の表示】
　特願２００６−１９３０３４「有機電界発光表示装置」拒絶査定不服審判事件〔平成１９年　８月　９日出願公開、特開２００７−２００８４５〕について、次のとおり審決する。
【結　論】
　本件審判の請求は、成り立たない。
【理　由】
第１　手続の経緯
　本願は、２００６年７月１３日（パリ条約による優先権主張　２００６年１月２６日　大韓民国）の出願（特願２００６−１９３０３４号）であって、平成２１年５月１２日付けで拒絶理由が通知され、同年８月１９日付けで手続補正がなされ、平成２２年６月１７日付けで拒絶査定がなされ、これに対して、同年１０月２２日に拒絶査定不服審判の請求がなされ、同時に手続補正がなされたものである。
　その後、平成２３年５月３０日付けで審尋がなされ、同年９月３０日付けで回答書が提出された。
　
第２　平成２２年１０月２２日付けの手続補正についての補正の却下の決定について
　
［補正の却下の決定の結論］
　平成２２年１０月２２日付けの手続補正（以下「本件補正」という。）を却下する。
　
［理由］
１　本件補正について
　本件補正により、特許請求の範囲の請求項１に係る発明は、平成２１年８月１９日付けの手続補正により補正された特許請求の範囲の請求項１に記載の、
　
「画素領域及び非画素領域を含む第１基板、
　前記第１基板の上部に配置された第２基板、
　前記第１基板と前記第２基板との間に備えられ、前記画素領域の周辺部に沿って形成された第１フリット、
　前記第１基板と前記第２基板との間に備えられ、前記第１フリットの少なくとも一側に形成された第２フリットを含み、
　前記第１及び第２フリットにより前記第１基板と前記第２基板とが接合される有機電界発光表示装置。」が　
　
「画素領域及び非画素領域を含む第１基板、
　前記第１基板の上部に配置された第２基板、
　前記第１基板と前記第２基板との間に備えられ、前記画素領域の周辺部に沿って形成された第１フリット、
　前記第１基板と前記第２基板との間に備えられ、前記第１フリットが取り囲む領域の内側及び／または外側に前記第１フリットに沿って形成された第２フリットを含み、
　前記第１及び第２フリットは、前記第１基板及び前記第２基板と接着しており、
　前記第１フリットと前記第２フリットとの間には空間が保持されている有機電界発光表示装置。」と補正された。
　
　本件補正における請求項１の補正は、補正前の特許請求の範囲の請求項１に係る発明における「第１フリット」と「第２フリット」の関係の構造について「前記第１フリットと前記第２フリットとの間には空間が保持されている」ものであると限定して特定する補正事項を含む。よって、本件補正における請求項１の補正は、特許請求の範囲について、いわゆる限定的に減縮することを目的とする補正、すなわち、平成１８年法律第５５号改正附則第３条第１項によりなお従前の例によるとされる同法による改正前の特許法（以下「平成１８年改正前特許法」という。）第１７条の２第４項第２号に掲げる事項を目的とする補正を含むものである。
　
２　独立特許要件違反についての検討
（１）そこで、本件補正後の本願の特許請求の範囲の請求項１に係る発明（以下「本願補正発明」という。）が特許出願の際独立して特許を受けることができるものか（平成１８年改正前特許法第１７条の２第５項において準用する特許法第１２６条第５項の規定に違反しないか）について検討する。
　
（２）本願補正発明
　本願補正発明は、本件補正により補正された特許請求の範囲の請求項１に記載されている事項により特定されるものである。（上記「第２　平成２２年１０月２２日付けの手続補正についての補正の却下の決定について」の「１　本件補正について」の記載参照。）
　
（３）引用例
ア　原査定の拒絶の理由に引用された、本願の優先日前に頒布された刊行物である国際公開第０４／９５５９７号（以下「引用例１」という。）には、次の事項が記載されている。（日本語訳を記載する。下線は当審が付した。）
　
「発明の技術分野
  本発明は、周囲環境に敏感な薄膜素子を保護するのに適した密封ガラスパッケージに関する。そのような素子の例としては、有機発光ダイオード（ＯＬＥＤ）ディスプレイ、センサ、および他の光学素子が挙げられる。本発明は、例として、ＯＬＥＤディスプレイを用いて実証する。」（第１ページ第２〜９行）
　
「発明の概要
　本発明は、密封ＯＬＥＤディスプレイおよび密封ＯＬＥＤディスプレイを製造する方法を含む。基本的に、密封ＯＬＥＤディスプレイは、第１の基板および第２の基板を提供し、フリットを第２の基板上に配置することによって製造される。ＯＬＥＤを第１の基板上に堆積させる。次いで、照射源（例えば、レーザ、赤外線）を用いて、フリットを加熱し、このフリットが溶融して、第１の基板を第２の基板に連結し、ＯＬＥＤを保護もする密封シールを形成する。フリットは、少なくとも一種類の遷移金属と、ことによると、照射源がフリットを加熱したときに、フリットが軟化し、結合部を形成するようなＣＴＥ低下充填剤とがドープされたガラスである。これにより、ＯＬＥＤへの熱的損傷を避けながら、フリットが溶融し、密封シールを形成することができる。」（第３ページ第２５行〜第４ページ第８行）
　
「図１〜７を参照すると、本発明による密封ＯＬＥＤディスプレイ１００およびＯＬＥＤディスプレイ１００を製造する方法２００が開示されている。本発明の封止プロセスは密封ＯＬＥＤディスプレイ１００の製造に関して以下に説明されるが、同じまたは同様の封止プロセスは、二枚のガラス板を互いに封止する必要のある他の用途に使用しても差し支えないことが理解されるであろう。したがって、本発明は、限定された様式と見なすべきではない。
  図１Ａおよび１Ｂを参照すると、密封ＯＬＥＤディスプレイ１００の基本構成部材を示す正面図および断面側面図がある。ＯＬＥＤディスプレイ１００は、第１の基板１０２（例えば、ガラス板１０２）、ＯＬＥＤ１０４のアレイ、ドープされたフリット１０６（例えば、実験１〜５および表２〜５を参照のこと）および第２の基板１０７の多層サンドイッチ構造を含む。
ＯＬＥＤディスプレイ１００は、第１の基板１０２および第２の基板１０７（例えば、ガラス板１０７）の間に位置した、ＯＬＥＤ１０４を保護する、フリット１０６から形成された密封シール１０８を有する。密封シール１０８は一般に、ＯＬＥＤディスプレイ１００の周囲に位置する。ＯＬＥＤ１０４は、密封シール１０８の周囲の内部に位置している。
詳しく説明されている。
  図２を参照すると、密封ＯＬＥＤディスプレイ１００を製造する好ましい方法２００の各工程を示す流れ図がある。工程２０２および２０４で始まり、ＯＬＥＤディスプレイ１００を製造できるように、第１の基板１０２および第２の基板１０７を提供する。好ましい実施の形態において、第１と第２の基板１０２および１０７は、コード１７３７ガラスまたはＥａｇｌｅ  ２０００（商標）ガラスの商品名でコーニング社(Corning Incorporated)により製造販売されているものなどの透明ガラス板である。あるいは、第１と第２の基板１０２および１０７は、旭硝子（例えば、ＯＡ１０ガラスおよびＯＡ２１ガラス）、日本電気硝子、ＮＨテクノグラスおよびサムソン・コーニング・プレシジョン・ガラス社(Samsung Corning Precision Glass Co.)（例として）などの会社によって製造販売されているものなどの透明ガラス板であって差し支えない。
  工程２０６で、
ＯＬＥＤ１０４および他の回路構成を第１の基板１０２上に堆積させる。
  工程２０８で、第２の基板１０７の縁に沿ってフリット１０６を配置する。例えば、フリット１０６は、第２の基板１０７の自由縁から約１ｍｍ離れたところに配置して差し支えない。好ましい実施の形態において、フリット１０６は、鉄、銅、バナジウム、およびネオジム（例として）からなる群より選択される一種類以上の吸収イオンを含有する低温ガラスフリットである。フリット１０６には、二枚の基板１０２および１０７の熱膨張係数と一致するまたは実質的に一致するようにフリット１０６の熱膨張係数を低下させる充填剤（例えば、転移(inversion)充填剤、添加(additive)充填剤）がドープされていてもよい。いくつかの例示のフリット１０６の組成が、実験１〜５および表２〜５に与えられている。
  工程２１０（随意的）で、フリット１０６を第２の基板１０７に予備焼結させても差し支えない。これを実施するためには、工程２０８で第２の基板１０７に配置されたフリット１０６を、第２の基板１０７に付着するまで加熱する。随意的な工程２１０についてのより詳しい議論が、実験３を参照して以下に与えられる。
  工程２１２で、
フリット１０６が、第１の基板１０２を第２の基板１０７に連結し結合する密封シール１０８を形成する
　
「
　　　　　　　　　　　　　　　　　　　　　　　　　　　　　　」
　
イ　引用例１に記載された発明
　上記記載（図面の記載も含む）を総合すると、引用例１には、
「ＯＬＥＤ１０４および他の回路構成が堆積される第１の基板１０２、
　第１の基板１０２に結合される第２の基板１０７、
　第１の基板１０２および第２の基板１０７の間に位置した、フリット１０６から形成された密封シール１０８を有し、
　密封シール１０８は、ＯＬＥＤディスプレイ１００の周囲に位置し、ＯＬＥＤ１０４は、密封シール１０８の周囲の内部に位置し、
　フリット１０６が、第１の基板１０２を第２の基板１０７に連結し結合する密封シール１０８を形成するＯＬＥＤディスプレイ１００。」の発明（以下「引用発明１」という。）が記載されている。
　
ウ　本願の優先日前に頒布された刊行物である特開２０００−３０６６６４号公報（以下「引用例２」という。）には、次の事項が記載されている。
　
「【０００１】
【産業上の利用分野】本発明は有機ＥＬ素子、有機エレクトロルミネセンス素子、有機電界発光素子、有機ＬＥＤ素子等と称され、有機薄膜のエレクトロルミネセンス現象を利用した有機エレクトロルミネセンス素子（以下、有機ＥＬ素子という）を封止した有機エレクトロルミネセンス表示装置（有機ＥＬ表示装置）に関するものである。」
　
「【００２８】図５および図６は、本発明による有機ＥＬ表示装置のさらに別の実施形態の構成を示している。図５に有機ＥＬ表示装置３０の概略断面図を、図６にその有機ＥＬ表示装置３０の概略平面図を示す。符号５にて示す有機ＥＬ素子は図１を用いて説明した第１の実施形態と同一であり、封止部が２重構造のシール層により封止、すなわち、有機ＥＬ素子５側の水分等吸着物質３１ａを含有した第１シール層３１と、その外側に形成した第２シール層３２により２重構造の封止部としている点を除いては、図１および図２に示した有機ＥＬ表示装置１０と同一である。
【００２９】第２シール層３２としては、外部からの水分透湿性の少ないエポキシ系の接着剤を用い、第１シール層３１は、先の実施形態と同一の光硬化性接着剤であるノーランドプロダクツ社製のＮＯＡ６８に外径を１０ミクロン程度としたＢａＯを１０ｗｔ％混入したものを用い、第２シール層３２を１ｍｍ幅、第１シール層３１を２ｍｍ幅として図６に示したように第２基板６の周縁にディスペンサーにて塗布形成した。有機ＥＬ素子５を設けた１基板１と、該第２基板６とを貼り合わせた後に紫外線を照射して第２シール層３２を硬化させて有機ＥＬ表示装置３０を形成した。
【００３０】このような構成の有機ＥＬ表示装置３０によれば、内部空間９に接する第１シール層３１内に残留水分量等を低減する働きのある水分等吸着物質３１ａが混入されており、これにより封止された内部空間内における残留水分等を低減することができる。さらに、該第１シール層３１の外側に、水分透湿性の小さい第２シール層３２を有するので、単層のシール層とした場合に比べて、外部雰囲気から内部空間９内にシール層をとおって透過・侵入してくる外部湿度等の影響を低減することができる。これにより、一層の有機ＥＬ素子５の劣化促進を抑止することができ、さらに寿命を長くすることができる。」
　
「【図５】
　　　　　　　　　　　　　　　　　　　　　　　　　　　　　」
　
「【図６】
　　　　　　　　　　　　　　　　　　　　　　　　　　　　　」
　
エ　本願の優先日前に頒布された刊行物である特開２００２−１５８０８８号公報（以下「引用例３」という。）には、次の事項が記載されている。
　
「【０００１】
【発明の属する技術分野】本発明は、電極間に発光性材料を挟んだ素子（以下、発光素子という）を用いた発光装置に関する。特に、ＥＬ（Electro Luminescence）が得られる発光性材料（以下、ＥＬ材料という）を用いた発光装置に関する。」
　
「【００２３】
【実施例】〔実施例１〕本発明を下面出射素子に適用したＥＬ表示装置を図４に示す。基板４０１上に陽極４０２が形成される。基板４０１の材質としては、ガラス基板、石英基板もしくはプラスチック基板が用いられる。陽極４０２の材質としては、仕事関数の大きな導電膜、代表的には透明導電膜（酸化インジウムと酸化スズの化合物など）、白金、金、ニッケル、パラジウム、イリジウムもしくはコバルトを用いる。陽極は、スパッタ法、真空蒸着法などの方法で形成され、フォトリソグラフィによってパターニングが行われる。
【００２４】陽極４０２の上に発光層４０３が形成される。発光層４０３は単層又は積層構造で用いられるが、積層構造で用いられた方が発光効率は良い。一般的には陽極４０２上に正孔注入層／正孔輸送層／発光層／電子輸送層の順に形成されるが、正孔輸送層／発光層／電子輸送層、または正孔注入層／正孔輸送層／発光層／電子輸送層／電子注入層のような構造でも良い。本発明では公知のいずれの構造を用いても良いし、発光層４０３に対して蛍光性色素をドーピングしても良い。発光層４０３に用いられるＥＬ材料は高分子系有機材料、低分子系有機材料のいずれを用いても良い。
【００２５】発光層４０３の上に陰極４０４が形成される。陰極４０４はメタルマスクを用いた真空蒸着法によって成膜される。陰極４０４の材質としては、仕事関数の小さな金属、代表的には周期表の１族もしくは２族に属する元素（マグネシウム，リチウム，カリウム，バリウム、カルシウム、ナトリウムもしくはベリリウム）またはそれらに近い仕事関数を持つ金属を用いる。また、陰極の材料として、アルミニウムを用い、陰極のバッファー層としてアルミニウムの下にフッ化リチウムもしくはリチウムアセチルアセトネート錯体を形成しても良い。
【００２６】その後は本発明により、ＥＬ素子の封止が行われる。ＥＬ素子が存在する領域の周りに閉曲線の形に接着剤Ａ４０７が形成され、更に接着剤Ａ４０７の周りに閉曲線の形に接着剤Ｂ４０８が形成される。接着剤Ａ４０７と接着剤Ｂ４０８の間に吸湿性物質４０６が散布されている。図４のＥＬ表示装置は封止材４０５がシート状である。しかし、従来の技術と同じように、封止材４０５がＥＬ素子の外寸よりも内寸が大きい凹部を有する形状であるＥＬ表示装置も可能であり、その凹部に吸湿性物質を充填することは効果的である。図５にそのようなＥＬ表示装置を示す。」
　
「【００３２】実施例１、実施例２、実施例３及び実施例４において、溝の深さを十分大きくし、フィルム１０１０で蓋をすることで吸湿性物質を溝の中に充填する本発明のＥＬ表示装置を図１０に示す。吸湿性物質を真空蒸着法もしくはスパッタ法で形成する場合にはフィルムは特に必要ではない。フィルムは、水蒸気を通すが吸湿性物質は通さない物質を用いる。よって、吸湿性物質は溝の中に充填され、水蒸気は溝の中へも入っていくので、接着剤Ａ１００７と接着剤Ｂ１００８の間に存在する水蒸気の量を減らすことができる。フィルムの材質は４−フッ化エチレンなどを用いる。この構成では、セルギャップの大きさは吸湿性物質の量と無関係となり、接着剤の種類あるいはフィラーの大きさ等で決まる。」
　
「【図１０】
　　　　　　　　　　　　　　　　　　　　　　　　　　　　　」
　
（４）　対比
ア　ここで、本願補正発明と引用発明１を対比する。
　引用発明１の「ＯＬＥＤ１０４および他の回路構成が堆積される第１の基板１０２」は、当然に画素領域及び非画素領域を含むから、本願補正発明の「画素領域及び非画素領域を含む第１基板」に相当する。
　
　引用発明１の「第１の基板１０２に結合される第２の基板１０７」が、本願補正発明の「前記第１基板の上部に配置された第２基板」に相当する。
　
　引用発明１の「第１の基板１０２および第２の基板１０７の間に位置した、フリット１０６から形成された密封シール１０８」であって、「ＯＬＥＤディスプレイ１００の周囲に位置し、ＯＬＥＤ１０４は、密封シール１０８の周囲の内部に位置」する「密封シール１０８」と、本願補正発明の「前記第１基板と前記第２基板との間に備えられ、前記画素領域の周辺部に沿って形成された第１フリット」及び「前記第１基板と前記第２基板との間に備えられ、前記第１フリットが取り囲む領域の内側及び／または外側に前記第１フリットに沿って形成された第２フリット」とは、「前記第１基板と前記第２基板との間に備えられ、前記画素領域の周辺部に沿って形成されたフリット」である点で一致する。
　
　引用発明１の「フリット１０６が、第１の基板１０２を第２の基板１０７に連結し結合する密封シール１０８を形成する」点と、本願補正発明の「前記第１及び第２フリットは、前記第１基板及び前記第２基板と接着して」いる点とは、「前記フリットは、前記第１基板及び前記第２基板と接着して」いる点で一致する。
　
　引用発明１の「ＯＬＥＤディスプレイ１００」が、本願補正発明の「有機電界発光表示装置」に相当する。
　
イ　一致点
　よって、本願補正発明と引用発明１とは、
「画素領域及び非画素領域を含む第１基板、
　前記第１基板の上部に配置された第２基板、
　前記第１基板と前記第２基板との間に備えられ、前記画素領域の周辺部に沿って形成されたフリットを含み、
　前記フリットは、前記第１基板及び前記第２基板と接着している有機電界発光表示装置。」
の発明である点で一致し、次の点で相違する。
　
ウ　相違点
　本願補正発明のフリットが、「第１フリットと、前記第１フリットが取り囲む領域の内側及び／または外側に前記第１フリットに沿って形成された第２フリット」からなり、前記第１フリットと前記第２フリットとの間には空間が保持されている」のに対して、引用発明１のフリットにおいては、その点についての限定がない点。
　
（５）判断
　有機ＥＬ表示装置の封止構造において、下部基板と上部の封止基板の間のシール部材を内外周の２重構造として両シール部材の間に空間を保持することは、引用例２、３にも記載されているように周知の技術である。そして、当該周知技術は、シール部材を内外周の２重構造とすることによって、シール構造の耐久性及び信頼性を高めるものであるといえる。
　引用発明１においても、シール部材であるフリットのシール構造の耐久性及び信頼性を高めるという課題が内在しているものであるから、引用例２、３に記載された周知技術を適用して、上記相違点に係る発明特定事項を得ることは当業者が容易に想到し得たことである。
　そして、本願補正発明によってもたらされる効果は、引用発明１及び周知技術から当業者が予測し得る程度のものである。
　よって、本願補正発明は、引用発明１及び周知技術に基いて当業者が容易に発明をすることができたものであるから、特許法第２９条第２項の規定により特許を受けることができない。
　
３　むすび
　したがって、本願補正発明は特許出願の際独立して特許を受けることができるものであるということができないから、本件補正は、平成１８年改正前特許法第１７条の２第５項で準用する同法第１２６条第５項の規定に違反するものであり、特許法第１５９条第１項で読み替えて準用する同法第５３条第１項の規定により却下されるべきものである。
　
 第３　本願発明について
１　本願発明
　本件補正は、上記のとおり却下されたので、本願の請求項１に係る発明（以下「本願発明」という。）は、平成２１年８月１９日付けの手続補正により補正された特許請求の範囲の請求項１に記載された事項により特定されるとおりのものである。（上記「第２　平成２２年１０月２２日付けの手続補正についての補正の却下の決定について」の「１　本件補正について」の記載参照。）
　
２　引用例
（１）原査定の拒絶の理由に引用された、本願の優先日前に頒布された刊行物である特開２００２−２８０１６９号公報（以下「引用例４」という。）には、次の事項が記載されている。（下線は当審が付した。）
　
「【０００１】
【発明の属する技術分野】本発明は、有機エレクトロルミネッセンス（以下、有機ＥＬという）素子の発光を光源・表示等に利用する
有機ＥＬ装置
　
「【０００６】本発明は以上説明した問題点に鑑みて成されたものであり、金属キャップを用いることなく安価で信頼性の高い封止構造が得られる有機ＥＬ装置とその製造方法を提供することを目的としている。」
　
「【００１４】
【発明の実施の形態】図１（ａ）は本発明の実施の形態の一例における有機ＥＬ装置１の縦断面図、図１（ｂ）は図１（ａ）の切断線における平断面図である。素子基板２はソーダライムガラス等の透光性・絶縁性基板としての板ガラスを所定の矩形状に切断したものである。
素子基板２の内面側の中央には有機ＥＬ素子が形成されている。
【００１５】
有機ＥＬ素子３に所定間隔をおいて対面するように、封止基板７が設けられている。
【００１６】
素子基板２と封止基板７の間には、内側隔壁８及び外側隔壁９が設けられている。内側隔壁８及び外側隔壁９は低融点フリットガラス等の無機物質で構成されており、高い不透水性を有している。内部隔壁８は有機ＥＬ素子３の周囲を囲む平面視矩形の枠構造であり、外部隔壁９は所定間隔をおいて内部隔壁８を囲む平面視矩形の枠構造である。
【００１７】内側隔壁８及び外側隔壁９は素子基板２と封止基板７の間隔を一定に保持するスペーサとしての役割を有する他、次のような機能を有する。即ち、内側隔壁８の内側には、有機ＥＬ素子３と対面する封止基板７の内面に矩形の領域が区画されており、この領域には捕水部１０が形成されている。本例の捕水部１０は捕水物質で構成された層であり、その捕水物質は従来と同一である。また、内側隔壁８と外側隔壁９の間の枠状の空間内には、シール剤としての接着剤１１が充填されており、素子基板２と封止基板７を接着している。」
　
「【図１】
　　　　　　　　　　　　　　　　　　　　　　　　　　　　　　　」
　
（２）引用例４に記載された発明
　【図１】から、素子基板２と封止基板７が内側隔壁８及び外側隔壁９に「接合」していることは明らかである。なお、本願明細書の【００１１】【００３３】【００３４】段落の記載等から、本件において「接合」は、「接着」（くっつくこと）とは区別して用いられ、一時的に（接着することなく）位置関係が維持されているような状態も含まれているものと認められる。よって、引用例４の上記記載（図面の記載も含む）から、引用例４には、
「素子基板２の内面側の中央には有機ＥＬ素子３が形成され、
　有機ＥＬ素子３に所定間隔をおいて対面するように、封止基板７が設けられ、
　素子基板２と封止基板７の間には、内側隔壁８及び外側隔壁９が設けられ、内側隔壁８及び外側隔壁９は低融点フリットガラス等の無機物質で構成されて、高い不透水性を有し、内部隔壁８は有機ＥＬ素子３の周囲を囲む平面視矩形の枠構造であり、外部隔壁９は所定間隔をおいて内部隔壁８を囲む平面視矩形の枠構造であり、
素子基板２と封止基板７は内側隔壁８及び外側隔壁９に接合している有機ＥＬ装置。」
の発明（以下「引用発明２」という。）が記載されている。
　
３　対比・判断
（１）対比
　ここで、本願発明と引用発明２とを対比する。
　引用発明２の「内面側の中央には有機ＥＬ素子３が形成され」た「素子基板２」は、当然に、画素領域及び非画素領域を含むから、本願発明の「画素領域及び非画素領域を含む第１基板」に相当する。
　
　引用発明２の「有機ＥＬ素子３に所定間隔をおいて対面するように」設けられた「封止基板７」が、本願発明の「前記第１基板の上部に配置された第２基板」に相当する。
　
　引用発明２の「素子基板２と封止基板７の間に」設けられた「内側隔壁８及び外側隔壁９」については、両者が「低融点フリットガラス等の無機物質で構成されて、高い不透水性を有」するものであること、及び、「内部隔壁８」は「有機ＥＬ素子３の周囲を囲む平面視矩形の枠構造」であり、「外部隔壁９」は「所定間隔をおいて内部隔壁８を囲む平面視矩形の枠構造」であることから、引用発明２の「内側隔壁８及び外側隔壁９」が、それぞれ、本願発明の「前記第１基板と前記第２基板との間に備えられ、前記画素領域の周辺部に沿って形成された第１フリット」、及び、「前記第１基板と前記第２基板との間に備えられ、前記第１フリットの少なくとも一側に形成された第２フリット」に相当する。
　
　引用発明２の「素子基板２と封止基板７は内側隔壁８及び外側隔壁９に接合している」ことが、本願発明の「前記第１及び第２フリットにより前記第１基板と前記第２基板とが接合される」ことに相当する。
　
　引用発明２の「有機ＥＬ装置」が、本願発明の「有機電界発光表示装置」に相当する。
　
（２）一致点・相違点・判断
　よって、両者は、
「画素領域及び非画素領域を含む第１基板、
　前記第１基板の上部に配置された第２基板、
　前記第１基板と前記第２基板との間に備えられ、前記画素領域の周辺部に沿って形成された第１フリット、
　前記第１基板と前記第２基板との間に備えられ、前記第１フリットの少なくとも一側に形成された第２フリットを含み、
　前記第１及び第２フリットにより前記第１基板と前記第２基板とが接合される有機電界発光表示装置。」
の発明である点で一致し、両者に相違するところがない。
　よって、本願発明は引用発明２であり、特許法第２９条第１項３号に該当するから、特許を受けることができない。
　
４　むすび
　以上のとおり、本願発明は、引用発明２であるから、特許法第２９条第１項第３号に規定する発明に該当し、特許を受けることができない。
　したがって、その余の請求項に係る発明について論及するまでもなく、本願は拒絶すべきものである。
　
　よって、結論のとおり審決する。